(57)【特許請求の範囲】
【請求項１】
機械装置用のベアリング潤滑装置であって、
第１のオイル室を画成する第１のハウジングと、
第１のハウジングに結合される第２のハウジングと、
前記第１のオイル室内に回転自在に設けられる回転ギアと、
前記第１のオイル室内に回転自在に設けられ、軸部と、外歯部と、内歯部とを有し、前記軸部が第１と第２の端部と、長手方向に貫通形成されたボアとを有し、前記外歯部が前記回転ギアに係合して成るピニオンと、
前記第１のハウジング内において前記軸部の第１の端部に設けられた第１のベアリング集成体と、
前記第２のハウジング内において前記軸部の第２の端部に設けられた第２のベアリング集成体と、
前記軸部の第１の端部と前記第１のハウジングとの間に固定され、前記第１のベアリング集成体に係合可能な第１の面部と、前記第１のハウジングに係合可能な第２の面部とを有するリング部材と、
前記第２のハウジングにより画成される第２の室と、
を具備する、ベアリング潤滑装置において、
前記内歯部は、前記第２のベアリング集成体付近に設けられており、前記軸部の前記第２の端部は前記第２の室に面する、ベアリング潤滑装置。
【請求項２】
前記ベアリング潤滑装置が、更に、動力装置を具備して成り、該動力装置が、前記第２の室内に設けられる第１の端部と、前記軸部の内歯に係合するように設けられているギア部とを含んで成る請求項１に記載のベアリング潤滑装置。
【請求項３】
前記ベアリング潤滑装置が、更に、前記第１のハウジング、リング部材、前記軸部の第１の端部により画成される空洞と、前記第１のハウジングに形成され前記第１のオイル室を前記空洞に連通させる通路とを含んで成る請求項１に記載のベアリング潤滑装置。
【請求項４】
前記リング部材が鋼製の部材であり、前記第１のベアリング集成体がカップ部とコーン部とを含み、前記リング部材が前記カップ部と係合するようにした平坦部と、前記コーン部と係合するようにした凹部とを含んで成る請求項１に記載のベアリング潤滑装置。
【請求項５】
前記ギア部が、等間隔に配設された複数の歯を有しており、隣接する２つの歯が、その間に所定のピッチを画定し、かつ、そのうち少なくとも２つの隣接する歯が前記ピッチの２倍のピッチにて設けられている請求項２に記載のベアリング潤滑装置。
【請求項６】
前記内歯部が、等間隔に配設された複数の歯を有しており、隣接する２つの歯が、その間に所定のピッチを画定し、かつ、そのうち少なくとも２つの隣接する歯が前記ピッチの２倍のピッチにて設けられている請求項２に記載のベアリング潤滑装置。
【請求項７】
前記機械装置が、支持ハブと、遊星歯車と、スプロケットホイールとを有する最終駆動装置を具備しており、前記ピニオンおよび回転ギアが前記支持ハブと、遊星歯車と、スプロケットホイールを回転させる請求項１に記載のベアリング潤滑装置。
【請求項８】
最終駆動装置であって、
第１のハウジングと、
前記第１のハウジングに結合された第２のハウジングと、
前記第１のハウジングに結合されたスピンドルであって、前記第１のハウジングと、第２のハウジングと、該スピンドルが第１のオイル室を画成するスピンドルと、
前記第２のハウジングに結合された動力装置であって、該動力装置と前記第２のハウジングが第２の室を画成し、前記動力装置がギア部を含み前記第２の室内に配設された第１の端部を有する動力装置と、
前記第１のオイル室内に回転自在に設けられる回転ギアと、
前記第１のオイル室内に回転自在に設けられ、軸部と、外歯部と、内歯部とを有し、前記軸部が第１と第２の端部と、長手方向に貫通形成されたボアとを有しており、前記外歯部が前記回転ギアに係合して成るピニオンと、
前記第１のハウジング内において前記軸部の第１の端部に設けられた第１のベアリング集成体と、
前記第２のハウジング内において前記軸部の第２の端部に設けられた第２のベアリング集成体と、
前記動力装置と、前記ピニオンと、前記回転ギアとにより回転するように設けられた遊星歯車と、スプロケットホイールと、支持ハブと、
前記第１のオイル室から前記第２のベアリング集成体に潤滑液を供給する手段とを具備する最終駆動装置において、
前記内歯部は、前記第２のベアリング集成体付近に設けられており、前記軸部の前記第２の端部は前記第２の室に面する、最終駆動装置。
【請求項９】
前記潤滑液を供給する手段が、前記第１のハウジングと前記軸部の第１の端部との間に固定された鋼製のリングを具備する請求項８に記載の最終駆動装置。
【請求項１０】
前記潤滑液を供給する手段が、前記第１のハウジングと、前記鋼製のリングと、前記軸部の第１の端部により画成された空洞と、前記第１の室を前記空洞に連通させる通路とを含んで成る請求項９に記載の最終駆動装置。
【請求項１１】
前記潤滑液を供給する手段が前記第２の室および前記ボアとを含んで成る請求項１０に記載の最終駆動装置。
【発明の詳細な説明】
【０００１】
【発明の属する技術分野】
本発明はベアリング潤滑装置に関し、特に、最終駆動装置と組み合わせたベアリング潤滑装置に関する。
【０００２】
【従来の技術】
トラック形トラクタ、トラック形ローダ、掘削機などの土木機械および建設機械は、動力をエンジンから無限軌道集成体に伝達するために、最終駆動装置を利用している。油圧モータなどの動力装置が最終駆動装置に取り付けられ、かつ、該最終駆動装置が片持梁式の駆動ギアにより駆動される構成がある。該駆動ギアは回転自在のピニオンに作用上連結しており、該ピニオンが第１と第２のハウジング内の第１と第２のベアリング集成体に回転自在に支持されている。第２のベアリング集成体は潤滑液が殆ど或いは全く供給されない領域に配設されている。これにより、ベアリングの寿命が短くなり、かつ、最終駆動装置の拡大補修が必要となる。
【０００３】
【発明が解決しようとする課題】
本発明は上述した従来技術の問題点を解決することを技術課題としている。
【０００４】
【課題を解決するための手段】
本発明の１つの特徴によれば、機械装置用のベアリング潤滑装置が、第１のオイル室を画成する第１のハウジングと、第１のハウジングに結合される第２のハウジングとを具備し、該第１と第２のハウジングが各々第１と第２の室を画成する。回転ギアとピニオンが前記第１の室内に回転自在に取り付けられ、ピニオンが、回転ギアと係合する外歯部を有している。前記ピニオンは、また、内歯部と、軸部とを有しており、軸部を長手方向に貫通してボアが形成されている。該軸部は、また、第１と第２の端部を有しており、第１と第２の端部は、前記第１と第２のハウジングに設けられた第１と第２のベアリング集成体に取り付けられている。前記軸部の第１の端部と前記第１のハウジングとの間にリング部材が配設される。内歯部は、第２のベアリング集成体付近に設けられており、軸部の第２の端部は第２の室に面する。
【０００５】
【作用】
前記第２のベアリング集成体では、前記機械装置の内部領域に配設されており、この構成が該第２のベアリング集成体への潤滑を困難なものにしている。本発明は、前記リング部材に隣接して設けられた空洞に前記回転ギアにより潤滑オイルを送ることにより、この第２のベアリング集成体を潤滑する。この潤滑オイルは、前記空洞から前記長手のボアを通って、前記第２のベアリング集成体に供給される。前記リング部材は、前記第１のベアリング集成体を流通する潤滑オイルを遮断して、潤滑オイルが確実に前記第２のベアリング集成体に供給されるようにしている。
【０００６】
【発明の実施の形態】
添付図面を参照すると、最終駆動装置１２などの機械装置１２のためのベアリング潤滑装置１０が、第１と第２のハウジング１４、１６と、ピニオン１８と、第１と第２のベアリング集成体２０、２２と、回転ギア２４と、金属製リング部材２６とを具備している。第１と第２のハウジング１４、１６は複数のファスナ２８により互いに連結され、第１のハウジング１４が第１のオイル室３０を画成し、第２のハウジングが第２のオイル室３２を画成する。回転ギア２４とピニオン１８は、第１のオイル室３０内で回転自在に取り付けられている。ピニオン１８は、軸部３４と、外歯部３６と、内歯部３８と、軸部３４を長手方向に貫通するボア４０とを含んでいる。軸部３４は第１と第２の端部４２、４４を有している。第１と第２の端部４２、４４の各々は、第１と第２のベアリング集成体２０、２２により第１と第２のハウジング１４、１６に取り付けられている。外歯部３６の歯４６は回転ギア２４の歯４８と係合する。
【０００７】
リング部材２６は、好ましくは鋼製であり、軸部３４の第１の端部４２と第１のハウジング１４の間に固定される。リング部材２６は、第１のベアリング集成体２０と係合可能な第１の平坦部分または面部５０と、第１のハウジング１４と係合可能な第２の平坦部分または面部５２とを有している。第１のハウジング１４、リング部材２６、軸部３４の第１の端部４２により空洞５４が画成される。第１のハウジング１４に形成された通路５６により、第１のオイル室３０は空洞５４に連通している。第１のベアリング集成体２０は、カップ部５８とコーン部６０とを有している。リング部材２６は、ベアリングのコーン部６０に係合する凹部６２を有しており、かつ、前記第１の平坦部５０はカップ部５８に係合する。
【０００８】
油圧モータ６４などの動力装置６４が第２のハウジング２２に取り付けられており、該動力装置は第２のオイル室３２内に配設される第１の端部６６を有している。動力装置６４の第１の端部６６は、軸部３４の内歯部３８と係合するギア部またはスプライン６８を有している。ギア部６８は、等間隔に配設された複数の外歯７０を有しており、隣接する２つの歯７０が、その間に所定のピッチＰを画定する。内は部３８は同じ個数の等間隔に配設された内歯７２を有しており、同様に、隣接する歯７２が、その間に所定のピッチＰを画定している。然しながら、潤滑油がギア部６８と内歯部３８の連結部を通って容易に流動して第２のベアリング集成体３２に到達できるように、１つの外歯７０、および／または、１つの内歯７２を除去することができる。１つの歯７０、７２を除去することにより、隣接する２つの外歯７０および２つの内歯７２は、両者間にピッチ２Ｐを画定する（図６）。
機械装置１２は、好ましくは、スピンドル７４と、遊星歯車７６と、スプロケットホイール７８と、支持ハブ８０とを含む最終駆動装置１２を具備している。スピンドル７４は第１のハウジング１４に結合されており、第１のハウジング１４、第２のハウジング１６、スピンドル７４が第１のオイル室３０を囲繞する。第１のオイル室３０は潤滑オイルを貯留し、かつ、回転ギア２４は、この潤滑オイルを第１の最終駆動装置１２の種々の部分に分散させる。動力装置６４がピニオン１８を回転させ、該ピニオンが次いで回転ギア２４と、遊星歯車と、支持ハブ８０と、スプロケットホイール７８を回転させる。
【０００９】
第１の最終駆動装置１２はベアリング潤滑装置１０を有しており、該装置が潤滑液を第１のオイル室３０から第２のベアリング集成体２０へ供給するための手段を構成している。手段１０は、鋼製のリング部材２６と、通路５６と、第１のオイル室３０と、ボア４０と、第２のオイル室３２と、回転ギア２４と、空洞５４とを含む。ボア４０を流通する潤滑液は、第２のオイル室内に集まり、第２のベアリング集成体２２への潤滑液の連続的な供給を提供する。
【００１０】
添付図面と既述の説明から、本発明は、特に土木機械や建設機械の最終駆動装置に有効である。ベアリング潤滑装置１０は、第２のベアリング集成体２２へ潤滑液を供給することを意図している。第２のベアリング集成体２２は、最終駆動装置１２の内部領域に配設されており、このことが該ベアリング集成体２２への潤滑液の供給を困難なものとしている。
【００１１】
第１のオイル室３０が潤滑オイルを貯留しており、回転ギア２４が回転すると、ある一定量の潤滑オイルが通路５６内に飛散し、この潤滑オイルが空洞５４内に流動する。鋼製のリング部材２６が、この潤滑オイルが第１のベアリング集成体を通って流れ出ることを実質的に防止する。潤滑オイルは、遠心力により空洞５４からボア４０を流通し、かつ、ギア連結部６８、３８を通過して第２のオイル室３２内へ流動する。潤滑オイルは、第２のオイル室３２内に集まり、第２のベアリング集成体２２への連続的な潤滑を提供する。ギア部６８の１つの歯７０または内歯部３８の１つの歯７２を除去して、潤滑オイルが該ギア連結部を通過し易くすることができる。
【００１２】
本発明の他の目的、利点は図面、発明の詳細な説明、特許請求の範囲から明らかとなる。
【図面の簡単な説明】
【図１】本発明と組み合わせた機械装置の略示断面図である。
【図２】図１の矢視線２−２に沿うハウジングの端面図である。
【図３】図２の矢視線３−３に沿う略示断面図である。
【図４】本発明の実施形態によるリング部材の略示平面図である。
【図５】図４の矢視線５−５に沿う略示断面図である。
【図６】図１の矢視線６−６に沿う略示断面図である。
【図７】ベアリング集成体とリング部材の略示側面図である。
【符号の説明】
１０…ベアリング潤滑装置
１２…最終駆動装置
１４…第１のハウジング
１６…第２のハウジング
１８…ピニオン
２０…第１のベアリング集成体
２２…第２のベアリング集成体
２４…回転ギア
３０…第１のオイル室
３２…第２のオイル室
４０…ボア
【図１】
0004149535.tif 000002
【図２】
0004149535.tif 000003
【図３】
0004149535.tif 000004
【図４】
0004149535.tif 000005
【図５】
0004149535.tif 000006
【図６】
0004149535.tif 000007
【図７】
0004149535.tif 000008